(57)【特許請求の範囲】
【請求項１】
舵板を回動する駆動手段を備えた操舵装置であって、
前記舵板を、スクリュー軸の左側に設けられる左舵板と、該スクリュー軸の右側に設けられる右舵板で形成し、
前記左舵板を駆動する左駆動手段を、前記左舵板を支持する上下方向に延在する左舵軸と、該左舵軸の径方向に延在する左連結アームと、該左連結アームの先端部に上下方向に延在する左支軸と、該左支軸にロッド先端部を回転自在に固定した第１左油圧シリンダと第２左油圧シリンダで構成し、
前記右舵板を駆動する右駆動手段を、前記右舵板を支持する上下方向に延在する右舵軸と、該右舵軸の径方向に延在する右連結アームと、該右連結アームの先端部に上下方向に延在する右支軸と、該右支軸にロッド先端部を回転自在に固定した第１右油圧シリンダと第２右油圧シリンダで構成し、
前記左舵軸の軸心視において、左側最大舵角姿勢時には、前記左舵軸を時計方向にα度回転し、右側最大舵角姿勢時には、前記左舵軸を反時計方向にβ度回転し、
前記右舵軸の軸心視において、左側最大舵角姿勢時には、前記右舵軸を時計方向にβ度回転し、右側最大舵角姿勢時には、前記右舵軸を反時計方向にα度回転し、
前記左側最大舵角姿勢時には、前記第２左油圧シリンダの長手方向の軸心が、前記左舵軸を中心として回動する左支軸の回転軌跡の接線に沿って設けられ、前記第１右油圧シリンダの長手方向の軸心が、前記右舵軸を中心として回動する右支軸の回転軌跡の接線に沿って設けられ、
前記右側最大舵角姿勢時には、前記第１左油圧シリンダの長手方向の軸心が、前記左舵軸を中心として回動する左支軸の回転軌跡の接線に沿って設けられ、前記第２右油圧シリンダの長手方向の軸心が、前記右舵軸を中心として回動する右支軸の回転軌跡の接線に沿って設けられることを特徴とする操舵装置。
【請求項２】
前記左側最大舵角姿勢状態の直前において、前記左舵軸と右舵軸の回転トルクが単調増加し、前記右側最大舵角姿勢状態の直前において、前記左舵軸と右舵軸の回転トルクが単調増加する構成とした請求項１記載の操舵装置。
【請求項３】
前記α度が３０度であり、前記β度が１１０度であり、
前記左舵板が中立姿勢状態時には、前記第１左油圧シリンダの長手方向の軸心が、前記左舵軸と左支軸の中心を結ぶ仮想線に沿って設け、
前記右舵板が中立姿勢状態時には、前記第１右油圧シリンダの長手方向の軸心が、前記右舵軸と右支軸の中心を結ぶ仮想線に沿って設けた請求項１又は２記載の操舵装置。
【請求項４】
前記左連結アームの先端部に上下方向に延在する２本の左支軸を近接して設け、前記第１左油圧シリンダと第２左油圧シリンダのロッド先端部をそれぞれ別の前記左支軸に回転自在に固定し、
前記右連結アームの先端部に上下方向に延在する２本の右支軸を近接して設け、前記第１右油圧シリンダと第２右油圧シリンダのロッド先端部をそれぞれ別の前記右支軸に回転自在に固定した請求項１〜３のいずれか１項に記載の操舵装置。
【発明の詳細な説明】
【技術分野】
【０００１】
本発明は、船舶の操舵装置であって、舵角を従来の舵角限度７０°を超えて舵軸を回転可能とするにあたり、最大舵角付近での必要操舵力を減じて低速時でもスラスター同様の操船能力を提供して、油圧シリンダの配置に特徴を有する操舵装置に関し、水上船舶に好適、機械設置スペースに制約のある小型船にも有利な操舵装置である。
【背景技術】
【０００２】
従来、貨物船等の一般船舶の舵は、通常、操舵機の回転角度を左右±３５°ずつ、合計７０°とし、舵の舵角も同じく合計７０°とされる。舵の舵角を拡げるには、ピストンロッド１本の往復動を回転動に変換する動力伝達手段では、ピストンロッドへの作用角であるクランク角が鋭角になりすぎるという問題がある。
【０００３】
特許文献１は、従来技術の典型であるラムおよびシリンダ方式のラプソンスライド型の駆動機構を開示している（特許文献１の図７参照）。
ここに、転舵角幅を特許文献１の図７の左右合計でΘラジアンとすれば、舵軸に作用するトルクＴは、ひとつの油圧シリンダ力Ｆに対し、フォークの動径をＲとして、
Ｔ＝ＦＲｓｉｎ｛（π−Θ）／２｝・・・（１）
である。
レシプロ型内燃機関のピストンクランク機構に類似させ、次式２に示すクランク角θは式（２）によってあらわすことができる。
θ＝｛（π−Θ）／２｝・・・（２）
式（２）からわかるように、転舵角幅が７０°をはるかに超え、例えば、１４０°となれば油圧シリンダ力は、従来比２．５倍の性能強化を要する。通常、ラプソンスライド型に用いる油圧シリンダは単動タイプであり、これに適用する油圧シリンダは大型化する。
使用可能な油圧に限度があることから、シリンダの大口径化を図れば高コストに繋がるし、特許文献１図６に示されるように、高出力化による付帯設備の大型化、あるいは、長ストロークによる設置面積の増加は、特に小型船で問題となる。
また、式（２）から明らかなように、ラプソンスライド型の場合に、広い舵角を実現しようとすると、動径Ｒ（特許文献１図６では動径３０）を小とするか、油圧シリンダのストロークＳを長くするか、少なくともいずれかを要する。そして、ストック中心軸線を中心として両端の最大舵角近傍では、操舵トルクは舵角範囲で最低となる。
【０００４】
しかるに、舵角限界付近では、流体抵抗も大となり、舵角を従来よりも大とするならば、より大きな操舵トルクを生成する必要がある。
【０００５】
一方、小型船では、スラスターを備えず、大型船に比べ主舵のみで小回りの効く操舵能力が求められる。低速時の操船においては、最大舵角付近でプロペラを高速回転し操船能力を増すことが望ましいというニーズもある。
【０００６】
トランクピストン型の駆動機構は、油圧シリンダ駆動機構を２セット使用し、同じ油圧シリンダを用いても発生操舵トルクを２倍にするが、操舵中立点から所望の舵角７０°以上、例えば、１４０°以上の舵角を得ようとすれば、クランク角が鋭角になり過ぎる問題は上述のラプソンスライド型と変わらない。
【０００７】
このような従来装置では、最大舵角付近では、作用角が鋭角となって十分に舵力を発生できず、プロペラの高速回転が不可能となり大きな舵角をとって急旋回するに足る推力をプロペラスクリューに与えることができないという問題も発見された。
また、最大舵角付近では、不用意に舵板が回転する、水流に負けてしまい舵の制御を失うという安全性の課題も見出された。
【０００８】
他方、1軸推進に対して２舵の操船の船舶では、緊急時の急停止には、舵が船体に対して大きな舵角で回転させることが求められる。プロペラ後方に２枚の舵板を配し、２舵の共同によりプロペラ後方を遮蔽するように大きな舵角をとり、大きな制動力を提供することが可能となり、1軸推進２舵操船の採用を提案している。ある商用技術では、広い舵角を実現する仕組みとして、ロータリーベーン式の油圧駆動機構を提案している（特許文献２、非特許文献１，２）。しかし、経済的に実用的、保守性、耐久性に優れる適当なものは、なお、検討の余地がある。ロータリーベーン方式は、ロータリーベーン部位自体に様々な技術課題を伴うからである。
【０００９】
このように、１枚舵であっても２枚舵であっても、従来技術は、十分に実用的な操舵装置を提供できていない。
【先行技術文献】
【特許文献】
【００１０】
【特許文献１】特開平９−１５０７９５号公報
【特許文献２】特許第２９６８２６５号公報
【非特許文献】
【００１１】
【非特許文献１】新・舵取機械・舵システムの新しい概念―シリングラダ―、ロータリーベーン舵取機、ベクツィン・ラダーシステム（１）日本マリンエンジニアリング学会誌、第４５巻  第２号  Ｐ９３−９９
【非特許文献２】新・舵取機械・舵システムの新しい概念―シリングラダ―、ロータリーベーン舵取機、ベクツィン・ラダーシステム（２）日本マリンエンジニアリング学会誌、第４５巻  第３号  Ｐ９７−１０４
【発明の概要】
【発明が解決しようとする課題】
【００１２】
そこで、本発明は、舵角の全域において舵板を船舶の操舵に十分な舵力を生成させ、船舶をよりスムーズに回動させることができる駆動手段を備える操舵装置を提供することにある。
【課題を解決するための手段】
【００１３】
＜請求項１に係る発明＞
舵板を回動する駆動手段を備えた操舵装置であって、
前記舵板を、スクリュー軸の左側に設けられる左舵板と、該スクリュー軸の右側に設けられる右舵板で形成し、
前記左舵板を駆動する左駆動手段を、前記左舵板を支持する上下方向に延在する左舵軸と、該左舵軸の径方向に延在する左連結アームと、該左連結アームの先端部に上下方向に延在する左支軸と、該左支軸にロッド先端部を回転自在に固定した第１左油圧シリンダと第２左油圧シリンダで構成し、
前記右舵板を駆動する右駆動手段を、前記右舵板を支持する上下方向に延在する右舵軸と、該右舵軸の径方向に延在する右連結アームと、該右連結アームの先端部に上下方向に延在する右支軸と、該右支軸にロッド先端部を回転自在に固定した第１右油圧シリンダと第２右油圧シリンダで構成し、
前記左舵軸の軸心視において、左側最大舵角姿勢時には、前記左舵軸を時計方向にα度回転し、右側最大舵角姿勢時には、前記左舵軸を反時計方向にβ度回転し、
前記右舵軸の軸心視において、左側最大舵角姿勢時には、前記右舵軸を時計方向にβ度回転し、右側最大舵角姿勢時には、前記右舵軸を反時計方向にα度回転し、
前記左側最大舵角姿勢時には、前記第２左油圧シリンダの長手方向の軸心が、前記左舵軸を中心として回動する左支軸の回転軌跡の接線に沿って設けられ、前記第１右油圧シリンダの長手方向の軸心が、前記右舵軸を中心として回動する右支軸の回転軌跡の接線に沿って設けられ、
前記右側最大舵角姿勢時には、前記第１左油圧シリンダの長手方向の軸心が、前記左舵軸を中心として回動する左支軸の回転軌跡の接線に沿って設けられ、前記第２右油圧シリンダの長手方向の軸心が、前記右舵軸を中心として回動する右支軸の回転軌跡の接線に沿って設けられることを特徴とする操舵装置
【００１４】
[作用効果]
油圧シリンダは１舵軸あたり二本構成であって、従来、舵トルクが最小となる最大舵角時において、１対の油圧シリンダのうち、いずれか一方の油圧シリンダの長手方向の軸心が、舵軸を中心として回動する支軸の回転軌跡の接線に沿うように油圧シリンダが設けられるから、この場合において、油圧シリンダの往復動力線と、連結アームとは直交し、トルク生成は最大値を与え得る。油圧シリンダが同一の推力で運転されると生成舵トルクは最大舵角姿勢状態時に最大となる。このように、従来とは異なり、クランク角が最低となる最大舵角時でのトルク生成に最大値を与え得る。
【００１５】
【００１６】
【００１７】
【００１８】
【００１９】
【００２０】
＜請求項２に係る発明＞
前記左側最大舵角姿勢状態の直前において、前記左舵軸と右舵軸の回転トルクが単調増加し、前記右側最大舵角姿勢状態の直前において、前記左舵軸と右舵軸の回転トルクが単調増加する構成とした請求項１記載の操舵装置。
【００２１】
[作用効果]
左右側舵角姿勢状態の直前において、前記舵軸の回転トルクが単調増加するから、油圧シリンダの油圧制御をより簡易に行うことができる。
【００２２】
＜請求項３に係る発明＞
前記α度が３０度であり、前記β度が１１０度であり、
前記左舵板が中立姿勢状態時には、前記第１左油圧シリンダの長手方向の軸心が、前記左舵軸と左支軸の中心を結ぶ仮想線に沿って設け、
前記右舵板が中立姿勢状態時には、前記第１右油圧シリンダの長手方向の軸心が、前記右舵軸と右支軸の中心を結ぶ仮想線に沿って設けた請求項１又は２記載の操舵装置。
＜請求項４に係る発明＞
前記左連結アームの先端部に上下方向に延在する２本の左支軸を近接して設け、前記第１左油圧シリンダと第２左油圧シリンダのロッド先端部をそれぞれ別の前記左支軸に回転自在に固定し、
前記右連結アームの先端部に上下方向に延在する２本の右支軸を近接して設け、前記第１右油圧シリンダと第２右油圧シリンダのロッド先端部をそれぞれ別の前記右支軸に回転自在に固定した請求項１〜３のいずれか１項に記載の操舵装置。
【００２３】
[作用効果]
舵板を舵角の全域である左側舵角姿勢状態から右側舵角姿勢状態の全域に亘って、より確実に回動するにあたり、高さ方向に省スペースとなる。
このように、連結アームにロッド先端部をそれぞれ別の前記支軸に回転自在に固定すれば、二つの油圧シリンダの設置高さに差を設ける必要がなく、油圧シリンダの収納高さを抑えることができる効果を与えより好適である。
【００２４】
【発明の効果】
【００２５】
左側最大舵角姿勢時から舵角右側最大舵角姿勢時の全域において舵板を効率良く回動することができる。
【図面の簡単な説明】
【００２６】
【図１】第１実施形態に係る操舵装置の斜視図である。
【図２】舵板を中立姿勢にした第１実施形態の操舵装置の油圧シリンダと連結アームの状態を説明する平面図である。
【図３】舵板の後部を反時計方向に回転させ右側最大舵角姿勢にした第１実施形態の操舵装置の油圧シリンダと連結アームの状態を説明する平面図である。
【図４】舵板の後部を時計方向に回転させ左側最大舵角姿勢にした第１実施形態の操舵装置の油圧シリンダと連結アームの状態を説明する平面図である。
【図５】第２実施形態に係る操舵装置の斜視図である。
【図６】左右一対の舵板を中立姿勢にした第２実施形態の操舵装置の油圧シリンダと連結アームの状態を説明する平面図である。
【図７】左右一対の舵板の後部を反時計方向に回転させ中立姿勢状態から右側最大舵角姿勢の間にした第２実施形態の操舵装置の油圧シリンダと連結アームの状態を説明する平面図である。
【図８】左右一対の舵板の後部を時計方向に回転させ中立姿勢状態から左側最大舵角姿勢の間にした第２実施形態の操舵装置の油圧シリンダと連結アームの状態を説明する平面図である。
【図９】操舵装置の一対の油圧シリンダの舵角と舵トルクの関係を示すグラフである。
【図１０】左右一対の舵板を中立姿勢にした第２実施形態の変形例の操舵装置の油圧シリンダと連結アームの状態を説明する平面図である。
【図１１】左右一対の舵板の後部を時計方向に回転させ中立姿勢状態から左側最大舵角姿勢の間にした第２実施形態の変形例の操舵装置の油圧シリンダと連結アームの状態を説明する平面図である。
【発明を実施するための形態】
【００２７】
＜第１実施形態＞
図１〜４に示した第１実施形態の操舵装置の構成について説明する。
操舵装置は、舵板３０と、舵板３０の上面に連結された上下方向に延在する舵軸２０と、舵軸２０の上部から径方向に延在する連結アーム５０と、連結アーム５０の先端部に設けられた上下方向に延在する支軸６０と、右舷側に配置された油圧シリンダ１００と、左舷側に配置された油圧シリンダ１１０とから形成されている。また、舵軸２０は、船体（図示省略）の下部に回転自在に支持されている。
【００２８】
油圧シリンダ１００の基部、すなわち、シリンダチューブの基部は、連結部材１０２を介して船体に回転自在に連結され、油圧シリンダ１００の先端部、すなわち、シリンダロッドの先端部は、連結部材１０３を介して支軸６０に回転自在に連結されている。また、油圧シリンダ１００は、油圧シリンダ１００の基部から左舷側に傾斜して配置されている。
【００２９】
油圧シリンダ１１０の基部、すなわち、シリンダチューブの基部は、連結部材１０２を介して船体に回転自在に連結され、油圧シリンダ１１０の先端部、すなわち、シリンダロッドの先端部は、連結部材１１３を介して支軸６０に回転自在に連結されている。また、油圧シリンダ１１０は、油圧シリンダ１１０の基部から右舷側に傾斜して配置されている。
【００３０】
図３に示すように、油圧シリンダ１００の長手方向の軸心は、最大舵角δ／２時、すなわち、舵軸２０を中心として舵板３０の後部が反時計方向に最も回転した右側最大舵角姿勢時には、舵軸２０を中心として回転する連結アーム５０の先端部６０に設けられた支軸６０の回転軌跡の接線に沿って設けられている。すなわち、油圧シリンダ１００の長手方向の軸心を、舵軸２０と支軸６０の中心を結んだ仮想線Ｘと直角になるように設けている。これにより、連結アーム５０の先端部に設けられた支軸６０に、舵軸２０を中心に連結アーム５０の先端部を反時計方向に回転させる最大のトルクを加えることができる。また、油圧シリンダ１１０は、油圧シリンダ１１０の基部から舵角が大きくなるに従って舷側への傾斜が大きくなる。
【００３１】
図４に示すように、油圧シリンダ１１０の長手方向の軸心は、最大舵角δ／２時、すなわち、舵軸２０を中心として舵板３０の後部が時計方向に最も回転した左側最大舵角姿勢時には、舵軸２０を中心として回転する連結アーム５０の先端部６０に設けられた支軸６０の回転軌跡の接線に沿って設けられている。すなわち、油圧シリンダ１１０の長手方向の軸心を、舵軸２０と支軸６０の中心を結んだ仮想線Ｘと直角になるように設けている。これにより、連結アーム５０の先端部に設けられた支軸６０に、舵軸２０を中心に連結アーム５０の先端部を時計方向に回転させる最大のトルクを加えることができる。また、油圧シリンダ１００は、油圧シリンダ１００の基部から舵角が大きくなるに従って舷側への傾斜が大きくなる。
【００３２】
したがって、右側最大舵角姿勢時には、油圧シリンダ１００が主シリンダとして働き、油圧シリンダ１１０は補助油圧シリンダとして働く、左側最大舵角姿勢時には、油圧シリンダ１１０が主シリンダとして働き、油圧シリンダ１００は補助油圧シリンダとして働く。
【００３３】
第１実施形態の操舵装置は、舵軸２０の中心をとおる前後方向に延在する中心線に対して舵中立状態で油圧シリンダ１００と油圧シリンダ１１０が左右対称になるように設けられ、図２に示す中立姿勢から図３に示す右側最大舵角姿勢の回転角度は７０度に設定され（δ＝１４０度の半分）、図２に示す中立姿勢から図４に示す左側最大舵角姿勢の回転角度は７０度（δ＝１４０度の半分）に設定されている。
【００３４】
第１実施形態の操舵装置は、舵軸２０の中心と支軸６０の中心をとおる仮想線Ｘが舵中立状態でスクリュー軸７０方向に平行となるように連結アーム５０、舵軸２０、舵板３０が一体に形成されている。
【００３５】
油圧シリンダ１００と油圧シリンダ１１０の先端を支軸６０に連結し、油圧シリンダ１００と油圧シリンダ１１０として小型な油圧シリンダを採用する。こうして、汎用部品を用いて油圧回路を構成可能とすることになり、製造コスト上も、設置スペースの節約により船舶の積載能力上も有利であって、４９９トン以下の小型船においても有効である。
【００３６】
＜第２実施形態＞
次に、第２実施形態について説明する。なお、第１実施形態と同一部品、部材には同一符号を付して説明を省略する。図５〜８に示すように、第２実施形態は、プロペラ４０を後端部に支持するスクリュー軸７０の左側と右側にそれぞれ駆動手段を設けている。
【００３７】
右側に配置された駆動手段は、右舷側の舵板（請求項における「右舵板」）３０Ａを駆動する舵軸（請求項における「右舵軸」）２０Ａに対して、右側最大舵角姿勢状態時に、連結アーム（請求項における「右連結アーム」）５０Ａの支軸（請求項における「右支軸」）６０Ａの回転軌跡の接線Ｔに長手方向の軸心が沿うように、油圧シリンダ１１０Ａが設けられており、左側最大舵角姿勢状態時に、連結アーム５０Ａの支軸６０Ａの回転軌跡の接線Ｔに長手方向の軸心が沿うように、油圧シリンダ１００Ａが設けられている。なお、第２実施形態においては、右側最大舵角姿勢は、舵軸２０Ａを中心として舵板３０Ａの後端部が上流側に３０°（図中のαに対応）傾斜した姿勢をいい、左側最大舵角姿勢とは、舵軸２０Ａを中心として舵板３０Ａの後端部が下流側に１１０°（図中のβに対応）傾斜した姿勢をいい、舵板３０Ａは、中立姿勢から上流側に３０°、下流側に１１０°で合計１４０°回動できる。
【００３８】
左側に配置された駆動手段は、左舷側の舵板（請求項における「左舵板」）３０Ｂを駆動する舵軸（請求項における「左舵軸」）２０Ｂに対して、右側最大舵角姿勢状態時に、連結アーム（請求項における「左連結アーム」）５０Ｂの支軸（請求項における「左支軸」）６０Ｂの回転軌跡の接線Ｔに長手方向の軸心が沿うように、油圧シリンダ１００Ｂが設けられており、左側最大舵角姿勢状態時に、連結アーム５０Ｂの支軸６０Ｂの回転軌跡の接線Ｔに長手方向の軸心が沿うように、油圧シリンダ１１０Ｂが設けられている。なお、第２実施形態においては、右側最大舵角姿勢は、舵軸２０Ｂを中心として舵板３０Ｂの後端部が下流側に１１０°傾斜した姿勢をいい、左側最大舵角姿勢とは、舵軸２０Ｂを中心として舵板３０Ａの後端部が上流側に３０°傾斜した姿勢をいい、舵板３０Ｂは、中立姿勢から上流側に３０°、下流側に１１０°で後継１４０°回動できる。
【００３９】
第２実施形態では、舵軸２０の中心と支軸６０の仮想線Ｘが舵中立状態でスクリュー軸７０と上流側最大舵角交叉するように連結アーム５０、舵軸２０、舵板３０が一体に形成されいる。例えば、上流に３０°、下流に１１０°旋回し、合計１４０°の範囲で旋回可能である場合、交叉角は３０°である。この交叉角は、必ずしも上流側最大舵角である必要なく、例えば、船尾スペースとの関係、各油圧シリンダが干渉しないように設定されれば足りる。
【００４０】
巡航直進の保針操船、舵中央の場合には、両舵板３０Ａ，３０Ｂは、プロペラ４０の側方に船軸と平行、スクリュー軸７０方向に保持されている。
【００４１】
低速時に右舷方向へスラスト流を生成する場合、舵板３０Ｂは、油圧シリンダ１００Ｂと１１０Ｂによって駆動される舵軸２０Ｂの回転によりプロペラ４０側方からプロペラ後方に１１０°まで右側最大舵角姿勢状態へ移動可能であり、同時にもう一方の舵板３０Ａは、油圧シリンダ（請求項における「第１右油圧シリンダ」）１００Ａと油圧シリンダ（請求項における「第２右油圧シリンダ」）１１０Ａによって駆動される舵軸２０Ａの回転によりプロペラ４０側方からプロペラ４０上流側に最大舵角３０°まで右側最大舵角姿勢状態へ移動するように構成されている。上流側へは右側最大舵角３０°も旋回すれば十分に操舵の目的を達成するし、これ以上舵を切っても操船の効果はなく、むしろ船速を落とす元になる。
【００４２】
低速時に左舷方向へスラスト流を生成する場合、舵板３０Ａは、油圧シリンダ１００Ａと１１０Ａによって駆動される舵軸２０Ａの回転によりプロペラ４０側方からプロペラ後方に１１０°まで左側最大舵角姿勢状態へ移動可能であり、同時にもう一方の舵板３０Ｂは、油圧シリンダ（請求項における「第１左油圧シリンダ」）１００Ｂと油圧シリンダ（請求項における「第２左油圧シリンダ」）１１０Ｂによって駆動される舵軸２０Ｂの回転によりプロペラ４０側方からプロペラ４０上流側に最大舵角３０°まで左側最大舵角姿勢状態へ移動するように構成されている。上流側へは左側最大舵角３０°も旋回すれば十分に操舵の目的を達成する。
【００４３】
２枚舵を備える船舶は、港湾接岸時等必要に応じサイドスラスター同様に強い横の流れを生成し、最大舵角付近でも十分な舵力に耐えて、プロペラの水流を旋回のために偏向整流させ、舵中立から船首側へ３０°の舵角、あるいは、舵中立から９０°を超える舵角で緊急制動しても十分な舵力を生成する点好ましく、あるいは、急停止減速時には、両方の舵板を各舵軸の回転によりプロペラ側方からプロペラ上流側へ船軸に線対称に３０°程度旋回すれば、舵を船舶の制動に利用できるようにもなり、高い制動性能を確保できる点好ましい。
【００４４】
図９の舵板３０の舵角が０°においては、左右一対に設けられた操舵装置の油圧シリンダ１００（図９中の「Ａ」が対応）の長手方向の軸心が、舵軸２０と支軸６０の中心を結んだ仮想線の延長線上に沿う。すなわち、舵軸２０の中心と、支軸６０の中心と、連結部材１０２の中心が一直線状に位置する。これにより、油圧シリンダ１００の舵軸２０を回動させる舵トルクは略０Ｎｍとなる。一方、シリンダ１１０（図９中の「Ｂ」が対応）の長手方向の軸心は、舵軸２０と支軸６０の中心を結んだ仮想線と所定の交差角度をもって交差して油圧シリンダ１１０の舵軸２０を回動させる舵トルクは略１３０Ｎｍとなる。よって、油圧シリンダ１００とシリンダ１１０によって舵軸２０を回動させる舵トルクの総和は略１３０Ｎｍとなる。したがって、一方の油圧シリンダの舵トルクが０Ｎｍになった場合においても、他方の油圧シリンダによって舵板３０を回動させることができる。
【００４５】
図９の舵板３０の舵角が上流側に３０°（上流側最大舵角）においては、左右一対に設けられた操舵装置の油圧シリンダ１００の長手方向の軸心は、舵軸２０と支軸６０の中心を結んだ仮想線と所定の交差角度をもって交差して油圧シリンダ１００の舵軸２０を回動させる一方の舵トルクは略５０Ｎｍとなる。同様に、シリンダ１１０の長手方向の軸心は、舵軸２０と支軸６０の中心を結んだ仮想線と所定の交差角度をもって交差して油圧シリンダ１１０の舵軸２０を回動させるもう一方の舵トルクは略１５０Ｎｍとなる、よって、油圧シリンダ１００とシリンダ１１０によって舵軸２０を回動させる舵トルクの総和は略２００Ｎｍとなりこの近傍の最大舵トルクとなる。そして、上流側最大舵角付近において、その近傍で上流側最大舵角に向け舵トルクは単調増加し、局所的に最大舵トルクを発生する。
【００４６】
図９の舵板３０の舵角が下流側に８０°においては、左右一対に設けられた操舵装置の油圧シリンダ１１０の長手方向の軸心が、舵軸２０と支軸６０の中心を結んだ仮想線の延長線上に沿う。すなわち、舵軸２０の中心と、支軸６０の中心と、連結部材１１２の中心が一直線状に位置する。これにより、油圧シリンダ１１０の舵軸２０を回動させる一方の舵トルクは略０Ｎｍとなる。一方、シリンダ１００の長手方向の軸心は、舵軸２０と支軸６０の中心を結んだ仮想線と所定の交差角度をもって交差して油圧シリンダ１００の舵軸２０を回動させる舵トルクの総和は略１８０Ｎｍとなる。したがって、一方の油圧シリンダの舵トルクが０Ｎｍになった場合においても、他方の油圧シリンダによって舵板３０を回動させることができる。
【００４７】
図９の舵板３０の舵角が下流側に１１０°（下流側最大舵角）においては、左右一対に設けられた操舵装置の油圧シリンダ１００の長手方向の軸心は、舵軸２０と支軸６０の中心を結んだ仮想線と所定の交差角度をもって交差して油圧シリンダ１００の舵軸２０を回動させる一方の舵トルクは略２００Ｎｍとなる。同様に、シリンダ１１０の長手方向の軸心は、舵軸２０と支軸６０の中心を結んだ仮想線と所定の交差角度をもって交差して油圧シリンダ１１０の舵軸２０を回動させるもう一方の舵トルクは略８０Ｎｍとなる、よって、油圧シリンダ１００とシリンダ１１０によって舵軸２０を回動させる舵トルクは略２８０Ｎｍとなり最大舵トルクの総和となる。そして、下流側最大舵角付近において、その近傍で下流側最大舵角に向け舵トルクは単調増加し、局所的に最大舵トルクを発生する。
【００４８】
このように、第２の実施形態に係る操舵装置モデルの舵角に対する舵トルクは、図９のグラフに示されているように、油圧シリンダＡとＢが互いに最大舵角付近で補完し合い、総和Ｃは、上流最大舵角で略１８０Ｎｍ、下流最大舵角で略２８０Ｎｍである。通常の舵では、舵角７０°では、舵トルクは最大舵角では最大から１／４以下となる。最大舵角７０°ではクランク角が２０°となり、舵トルクがｓｉｎ２０°的に低下する。これは、図９で、５０Ｎｍ以下に相当する。これに対して、本構成は最大舵角でも略１８０Ｎｍの舵トルクを生成する。すなわち、本構成は、従来技術の略２倍の性能を発揮する。逆に言えば、１油圧シリンダの能力は、従来技術に比し、半分の能力でも十分足りる。
【００４９】
＜第２実施形態の変形例＞
次に、第２実施形態の変形例について説明する。なお、第２実施形態と同一部品、部材には同一符号を付して説明を省略する。図１１，１２に示すように、第２実施形態の変形例は、油圧シリンダ１００のロッド先端部を回転自在に支持する支軸６１と、油圧シリンダ１１０のロッド先端部を回転自在に支持する支軸６２を別体として形成している。これにより、油圧シリンダ１００，１１０を配置に左右で段差を設ける必要がないという設置スペース上の利点があり、好ましい。少なくとも段差解消の特別な機構を不要とし製造コスト・保守コストを下げる利点があり好ましい。
【００５０】
支軸６１の中心と支軸６２を結ぶ仮想線の中心が、第２実施形態の支軸６０に対応し、支軸６１の中心と支軸６２を結ぶ仮想線の中心の回転軌跡が、第２実施形態の支軸６０の回転軌跡に対応する。
【産業上の利用可能性】
【００５１】
本発明は、水上船舶の舵板の操舵部分に適用可能なものである。
【符号の説明】
【００５２】
２０      舵軸
２０Ａ    舵軸（右舵軸）
２０Ｂ    舵軸（左舵軸）
３０      舵板
３０Ａ    舵板（右舵板）
３０Ｂ    舵板（左舵板）
４０      プロペラ
５０      連結アーム
５０Ａ    連結アーム（右連結アーム）
５０Ｂ    連結アーム（左連結アーム）
６０      支軸
６０Ａ    支軸（右支軸）
６０Ｂ    支軸（左支軸）
６１      支軸
６２      支軸
７０      スクリュー軸
１００    油圧シリンダ
１００Ａ  油圧シリンダ（第１右油圧シリンダ）
１００Ｂ  油圧シリンダ（第１左油圧シリンダ）
１１０    油圧シリンダ
１１０Ａ  油圧シリンダ（第２右油圧シリンダ）
１１０Ｂ  油圧シリンダ（第２左油圧シリンダ）
Ｔ        接線
【要約】
【課題】舵角の全域において舵板をスムーズに回動させることができる駆動手段を備える操舵装置を提供する。
【解決手段】駆動手段を、舵板を支持する上下方向に延在する舵軸と、舵軸の径方向に延在する連結アームと、連結アームの先端部に上下方向に延在する支軸と、支軸にロッド先端部を回転自在に固定した一対の油圧シリンダで構成し、舵板が中立姿勢状態から最大舵角姿勢状態の間に、いずれか一方の油圧シリンダの長手方向の軸心が、舵軸を中心として回動する支軸の回転軌跡の接線に沿って設ける。
【選択図】図３【図１】
0006515171.tif 000002
【図２】
0006515171.tif 000003
【図３】
0006515171.tif 000004
【図４】
0006515171.tif 000005
【図５】
0006515171.tif 000006
【図６】
0006515171.tif 000007
【図７】
0006515171.tif 000008
【図８】
0006515171.tif 000009
【図９】
0006515171.tif 000010
【図１０】
0006515171.tif 000011
【図１１】
0006515171.tif 000012